(57)【特許請求の範囲】
【請求項１】
複数の鎖樋素体を上下方向に配設した鎖樋において、鎖樋素体を軸体に対して回転自在に取付けると共に鎖樋素体に雨水の流水力又は風力を受けて該鎖樋素体を回転させるための回転翼部を設け、上記鎖樋素体を軸体に回転自在に取付けた軸支部分において、鎖樋素体に設けた軸体を遊挿する孔の内面乃至軸体の外面の少なくとも一方に軸支部分の上下方向にわたる溝を設けて成ることを特徴とする鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来から、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せるという機能）」がマンネリ化しており、商品価値の高い鎖樋を提供できないのが現状であり、鎖樋のもつ「見せるという機能を」更に発展させる商品を開発することが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力又は風力により回転させる機能を備えることで、従来の鎖樋にはない新しい「見せる機能」を備え、しかも、雨水の流水力で鎖樋素体を回転させるものにおいて、鎖樋素体の軸体との枢支部分にごみ、埃、砂等の異物が入り込んでもスムーズに排出することが可能な鎖樋を提供することを課題とするものである。
【課題を解決するための手段】
【０００８】
本発明は、複数の鎖樋素体１を上下方向に配設した鎖樋２である。そして、本発明は、鎖樋素体１を軸体３に対して回転自在に取付けると共に鎖樋素体１に雨水の流水力又は風力を受けて該鎖樋素体１を回転させるための回転翼部５を設け、上記鎖樋素体１を軸体３に回転自在に取付けた軸支部分において、鎖樋素体１に設けた軸体２を遊挿する孔１８の内面乃至軸体３の外面の少なくとも一方に軸支部分の上下方向にわたる溝７を設けて成ることを特徴とするものである。
【０００９】
このような構成とすることで、雨水の流水力又は風力を回転翼部５で受けて鎖樋素体１を軸体３を中心に回転させることができ、このように雨水の流水力又は風力により鎖樋素体１が回転することで、従来の鎖樋２では発揮できなかった新しい見せる機能を備えた鎖樋２を提供できる。しかも、鎖樋素体１を軸体３を中心に回転させるに当って、鎖樋素体１に作用する雨水の流水力又は風力を利用して回転させるものであるから鎖樋２の構成が簡略化できる。更に、鎖樋素体１を軸体３に回転自在に取付けた軸支部分において、鎖樋素体１に設けた軸体２を遊挿する孔１８の内面乃至軸体３の外面の少なくとも一方に軸支部分の上下方向にわたる溝７を設けてあるので、軸体２と孔１８との軸支部分にごみ、埃、砂等の異物が入り込んでも、溝７から異物を排出することができる。
【発明の効果】
【００１０】
本発明は、上記のように鎖樋素体を軸体に対して回転自在に取付けると共に鎖樋素体に雨水の流水力又は風力を受けて該鎖樋素体を回転させるための回転翼部を設けてあるので、雨水の流水力又は風力により鎖樋素体が回転する様子を見せるという機能を備えていることになり、簡単な構成で従来の鎖樋にはないまったく新しい「見せる機能」を備えた商品価値の高い鎖樋を提供できる。また、鎖樋素体を軸体に回転自在に取付けた軸支部分において、鎖樋素体に設けた軸体を遊挿する孔の内面乃至軸体の外面の少なくとも一方に軸支部分の上下方向にわたる溝を設けえてあるので、鎖樋素体の軸体との枢支部分にごみ、埃、砂等の異物が入り込んでもスムーズに排出することが可能となって、雨水の流水力により回転する鎖樋素体の回転性能を維持することができる。
【発明を実施するための最良の形態】
【００１１】
以下、本発明を添付図面に示す実施形態に基いて説明する。
【００１２】
本発明の鎖樋２は複数の鎖樋素体１を上下方向に隙間９を介して配設したものであり、上端を軒樋に接続して軒樋から流下する雨水を鎖樋素体１を伝って次々と流下させるようにするためのものである。
【００１３】
本発明においては、鎖樋２を構成する全部の鎖樋素体１又は一部の鎖樋素体１が軸体３に対して回転自在となっている。また、鎖樋素体１には雨水の流水力又は風力を受けて当該鎖樋素体１を回転させるための回転翼部５が設けてある。
【００１４】
図１乃至図３には本発明の一実施形態が示してあり、本実施形態においては、上下に開口した筒体４内に回転翼部５を設けて鎖樋素体１を構成し、該鎖樋素体１に軸体３が回転自在に取付け、軸体３に繋ぎ部１０を設け、上下の鎖樋素体１を繋ぎ部１０で繋ぐことで、上下方向に複数の鎖樋素体１を配設した鎖樋２を構成した例が示してあり、本実施形態では雨水の流水力を回転翼部５で受けて該鎖樋素体１を回転させるようになっている。
【００１５】
図に示す実施形態では、上下が開口した横断面角形状又は円形状をした筒体４内に筒体４とは別体の回転翼部５を取付けて鎖樋素体１を構成した例が示してある。このように、別体の筒体４と回転翼部５とを組み立てて鎖樋素体１を構成することで、回転翼部５が複雑な形状であっても合成樹脂により簡単に成形することができる。
【００１６】
筒体４は下開口８が上開口６よりも小さいもので、筒体４の横断面形状が上から下に行くほど次第に小さくなるように形成してある。筒体４の壁部の内面には上開口６の開口縁よりも一定寸法下方に引き込んだ位置に係止突起１１が突設してある。
【００１７】
回転翼部５は中心軸部１２の周部に放射状に羽根部１３を突設して構成してあり、羽根部１３は中心軸部１２を中心にねじってある。また各羽根部１３の突出側端は筒体４の壁部の内面に沿うように壁部の内面の傾斜と同じ傾斜となっている。また、中心軸部１２には上下に貫通する孔１８が設けてある。
【００１８】
回転翼部５を筒体４の上開口６から嵌め込んで複数の羽根部１３の突出側端を筒体４の壁部の内面に当接すると共に各羽根部１３の上端を係止突起１１に係止することで回転翼部５を筒体４内に内装するものであり、この状態で、回転翼部５の上端の位置が筒体４の上端よりも一定寸法（図１において寸法Ｌで示す）下方に引き込んだ位置となり、中心軸部１２は筒体４の中心軸と同軸となる。
【００１９】
軸体３は上軸部１４と下軸部１５とに上下に分割してあり、上軸部１４の上端部及び下軸部１５の下端部にそれぞれ繋ぎ部１０が設けてある。また、上軸部１４の下端部には連結部１６が設けてあり、下軸部１５の上端部には被連結部１７が設けてある。
【００２０】
上軸部１４乃至下軸部１５の一方又は両方を鎖樋素体１の中心軸部１２の孔１８に遊挿すると共に、連結部１６と被連結部１７とを連結するものであり、これにより上軸部１４と下軸部１５とで構成する軸体３に対して鎖樋素体１を回転自在とするものである。下軸部１５には中心軸部１２の下端部が落下するための落下防止部１９が設けてある。
【００２１】
上記鎖樋素体１を軸体３に回転自在に取付けた軸支部分には、鎖樋素体１の孔１８の内面乃至軸体３の外面の少なくとも一方に軸支部分の上下方向にわたる溝７を設けてある。
【００２２】
この軸支部分の上下にわたる溝７は、図４に示すように上下方向に真っすぐな１乃至複数の直線溝７ａを孔１８の内面乃至軸体３の外面の少なくとも一方又は両方に設けたり、あるいは、図５に示すように曲線となった曲線溝７ｂを孔１８の内面乃至軸体３の外面の少なくとも一方又は両方に設けるものである。なお、曲線溝７ｂとしては例えばスパイラル溝を形成する。
【００２３】
上記のように軸体３に回転自在となった複数の鎖樋素体１を、繋ぎ部１０で上下に繋ぐことで鎖樋２を形成するものである。
【００２４】
筒状をした鎖樋素体１の上開口６から鎖樋素体１内に雨水が流入すると、雨水は中心軸部１２周りに形成した螺旋状をした回転翼部５の傾斜面に当って回転翼部５上を螺旋流となって流下するものであるが、この際、上開口６から回転翼部５の傾斜面に図２の矢印イのように当ることで回転翼部５が軸体３を中心に回転する力が作用し、また、螺旋状となった回転翼部５に沿って雨水が螺旋流となって鎖樋素体１内を流れることで、鎖樋素体１を更に回転する力が作用し、これにより鎖樋素体１が軸体３を中心に図２の矢印ロのように回転する。
【００２５】
このように鎖樋素体１を回転させながら自身も螺旋流となった雨水は筒体４の下開口８から下方に螺旋流となって流下し、隙間９を介して下に位置する別の鎖樋素体１の上開口６内に流下する。
【００２６】
下に位置する別の鎖樋素体１の上開口６から流下した雨水は上記と同様に螺旋状をした回転翼部５の傾斜面に当って回転翼部５上を螺旋流となって流下するものであり、これにより上記と同様にして下の鎖樋素体１が軸体３を中心に回転する。
【００２７】
同様にして次々と、下の鎖樋素体１が軸体３を中心にして回転することで、全ての鎖樋素体１を回転することができる。
【００２８】
この実施形態においては、上記のように雨水が流れると、雨水の流水力により鎖樋素体１が回転する様子が見え、また、上下の鎖樋素体１間の隙間９においては雨水が螺旋流となって流れる様子が見える。これにより、従来の鎖樋素体１が回転せず、また、鎖樋素体１間の隙間９においては雨水が真っ直ぐ流れる様子しか見えないものに比べて、従来の鎖樋２では現出できなかった、雨水の動き、鎖樋素体１の動きを現出できることになる。
【００２９】
ところで、鎖樋素体１を軸体３に対して回転自在に軸支すると、屋外に設置してあり、内部を雨水が流入するため、軸体２と孔１８との軸支部分にごみ、埃、砂等の異物が入り込んで鎖樋素体１の回転性能が低下するおそれがあるが、本発明においては、上記のように、鎖樋素体１を軸体３に回転自在に取付けた軸支部分において、鎖樋素体１に設けた孔１８の内面乃至軸体３の外面の少なくとも一方に軸支部分の上下方向にわたる溝７を設けてあるので、軸体２と孔１８との軸支部分にごみ、埃、砂等の異物が入り込んでも、溝７から異物を排出することができる。
【００３０】
ここで、雨水の流水力で回転する鎖樋素体１に設けた孔１８の内面にスパイラル溝よりなる溝７を形成する場合、該スパイラル溝の平面視における上端から下端に向かうスパイラルの巻き方向が、平面視で鎖樋素体の雨水の流下力により回転する回転方向と逆方向となっていると、溝７に入り込んでいるが軸体３の外面に接触して落下し難い異物であっても鎖樋素体１の回転により回転するスパイラル溝に沿って上から下に移送されて孔１８の下端に位置するスパイラル溝の下端からスムーズに排出される。
【００３１】
一方、雨水の流水力で回転する鎖樋素体１に設けた孔１８の内面にスパイラル溝よりなる溝７を形成する場合、該スパイラル溝の平面視における上端から下端に向かうスパイラルの巻き方向が、平面視で鎖樋素体１の雨水の流下力により回転する回転方向と同方向となっていると、溝７に入り込んでいるが軸体３の外面に接触して落下し難い異物であっても鎖樋素体１の回転によりスパイラル溝に沿って下から上に移送されてスパイラル溝の上端からスムーズに排出される。したがって、この場合は、枢支部分の上端から異物を排出しようとする作用が働くため、枢支部分の上端から異物が入りにくいことになる。
【００３２】
また、回転しない軸体３の外面にスパイラル溝よりなる溝７を形成する場合、該スパイラル溝の平面視における上端から下端に向かうスパイラルの巻き方向が、平面視で鎖樋素体１の雨水の流下力により回転する回転方向と同方向となっていると、溝７に入り込んでいるが軸体３の外面に接触して落下し難い異物であっても鎖樋素体１の回転により回転しない軸体３の外面に設けたスパイラル溝に沿って上から下に移送されて孔１８の下端に位置するスパイラル溝の下端からスムーズに排出される。
【００３３】
一方、回転しない軸体３の外面にスパイラル溝よりなる溝７を形成する場合、該スパイラル溝の平面視における上端から下端に向かうスパイラルの巻き方向が、平面視で鎖樋素体１の雨水の流下力により回転する回転方向と逆方向となっていると、軸体３の外面に設けたスパイラル溝に入り込み且つ回転する鎖樋素体１の孔１８の内面に接触して落下し難い異物であっても鎖樋素体１の回転によりスパイラル溝に沿って下から上に移送されてスパイラル溝の上端からスムーズに排出される。したがって、この場合は、枢支部分の上端から異物を排出しようとする作用が働くため、枢支部分の上端から異物が入りにくいことになる。
【００３４】
図１、図２に示す前述の実施形態においては、上下方向に配置した複数の鎖樋素体１の回転翼部５における螺旋の巻き方向を同じ方向とした例を示しており、この例の場合は、雨水の流下力により複数の鎖樋素体１を同一方向に回転させながら排水する鎖樋２であるが、複数の鎖樋素体１のうち回転翼部５における螺旋の巻き方向が一方向となったものと、逆方向となったものを混在させることで、雨水の流下力により一方向に回転する鎖樋素体１と、反対方向に回転する鎖樋素体１とが混在した鎖樋２を構成するようにしてもよく、この実施形態においては、よりいっそう従来の鎖樋２では現出できなかった雨水の動き、鎖樋素体１の動きを現出できることになる。
【００３５】
また、上記いずれの実施形態の場合も、回転翼部５の傾斜角度が異なる鎖樋素体１を複数用いて鎖樋２を構成してもよく、この場合は、回転速度の速い鎖樋素体１と遅い鎖樋素体１とが混在することになり、よりいっそう従来の鎖樋２では現出できなかった、雨水の動き、鎖樋素体１の動きを現出できることになる。
【００３６】
また、上記実施形態では、鎖樋素体１に軸体３が回転自在に取付けてあり、軸体３に繋ぎ部１０を設け、上下の鎖樋素体１を繋ぎ部１０で繋ぐことで、上下方向に複数の鎖樋素体１を配設した鎖樋２を構成した例が示してあるが、ワイヤーや棒材のように上下方向に長い線状材（図示せず）により軸体３を構成し、この線状材に鎖樋素体１を上下方向に複数回転自在に取付けて鎖樋２を形成してもよい。この実施形態においても、鎖樋素体１に設けた孔１８の内面乃至上下に長い線状材よりなる軸体３の外面の少なくとも一方に軸支部分の上下方向にわたる溝７を設ける。
【００３７】
また、前述の各実施形態はいずれも鎖樋素体１に雨水の流水力を受けて当該鎖樋素体１を回転させる回転翼部５を設けた例であるが、鎖樋素体１の外面に風力を受けて当該鎖樋素体１を回転させるための回転翼部５を設けてもよい。もちろん、この実施形態においても、鎖樋素体１に設けた孔１８の内面乃至上下に長い線状材よりなる軸体３の外面の少なくとも一方に軸支部分の上下方向にわたる溝７を設ける。
【図面の簡単な説明】
【００３８】
【図１】本発明の一実施形態の鎖樋の断面図である。
【図２】同上の正面図である。
【図３】同上に用いる鎖樋素体を示し、（ａ）は斜視図であり、（ｂ）は分解斜視図である。
【図４】同上の直線溝を形成した例を示す一部破断した斜視図である。
【図５】同上の曲線溝を形成した例を示す一部破断した斜視図である。
【符号の説明】
【００３９】
１  鎖樋素体
２  鎖樋
３  軸体
４  筒体
５  回転翼部
７  溝
【図１】
0004416041.tif 000002
【図２】
0004416041.tif 000003
【図３】
0004416041.tif 000004
【図４】
0004416041.tif 000005
【図５】
0004416041.tif 000006